(57)【特許請求の範囲】
【請求項１】
既設管に水密に装着可能な分割体により構成された分岐ケースと、前記分岐ケースに接続されるとともに分岐管に接続可能な仕切弁とを備えて、前記分岐管を前記既設管に接続可能にする分岐管接続装置において、
前記分岐ケースの仕切弁側端部の内周面に先細りの周壁面を有する突起が設けられており、前記仕切弁の既設管側端部の外周面に凹部が形成されていて、前記分岐ケースに前記仕切弁を接続するに際して、前記突起が前記凹部に嵌め込まれるとともに前記突起の周壁面と前記凹部の壁面とが互いに面接触するように構成され、前記突起と前記凹部との間に軟質シート材を介在させてあり、
前記分岐ケースの分割面では、前記分割体のフランジ部同士が締結具により締結されるとともに、前記分割面が略水平方向に位置し、前記締結具の締結により前記分岐ケースと前記仕切弁との接続がシール材を介してなされることを特徴とする分岐管接続装置。
【請求項２】
既設管に水密に装着可能な分割体により構成された分岐ケースと、前記分岐ケースに接続されるとともに分岐管に接続可能な仕切弁とを備えて、前記分岐管を前記既設管に接続可能にする分岐管接続装置において、
前記分岐ケースの仕切弁側端部の内周面に先細りの周壁面を有する突起が設けられており、前記仕切弁の既設管側端部の外周面に凹部が形成されていて、前記分岐ケースに前記仕切弁を接続するに際して、前記突起が前記凹部に嵌め込まれるとともに前記突起の周壁面と前記凹部の壁面とが互いに面接触するように構成され、
前記分岐ケースの仕切弁側端面に延出形成された延出部の内周面に前記突起が設けられており、前記延出部には根本を薄肉化する切り欠きが形成されていて、
前記分岐ケースの分割面では、前記分割体のフランジ部同士が締結具により締結されるとともに、前記分割面が略水平方向に位置し、前記締結具の締結により前記分岐ケースと前記仕切弁との接続がシール材を介してなされることを特徴とする分岐管接続装置。
【請求項３】
前記突起が円錐状又は円錐台状に設けられている請求項１又は２記載の分岐管接続装置。
【請求項４】
前記凹部が円錐状又は円錐台状に形成されている請求項３記載の分岐管接続装置。
【請求項５】
前記分岐ケースの仕切弁側端部の内周面に前記シール材を内嵌させる凹溝が形成されており、前記突起を前記凹部に嵌め込んだ状態では、前記凹溝を構成する内側突条壁と前記仕切弁の既設管側端面に形成されている張出部とが、前記仕切弁の管軸方向に接当して前記分岐ケースから前記仕切弁が遠ざかるのを停止可能になっている請求項１〜４のいずれか１項記載の分岐管接続装置。
【請求項６】
既設管に水密に装着可能な分割体により構成された分岐ケースと、分岐管に接続可能な仕切弁とを備えた分岐管接続装置を用いて、前記分岐管を前記既設管に接続する分岐管接続工法において、
前記分岐ケースを前記既設管に外嵌して装着するとともに、その分岐ケースの仕切弁側端部に前記仕切弁の既設管側端部が内挿された状態にする第１の工程と、
前記分岐ケースの分割面を略水平方向に位置させた状態で、前記分割体のフランジ部同士を締結具によって締結し、前記分岐ケースと前記仕切弁とを強固に接続する第２の工程と、
前記仕切弁に穿孔装置を接続して前記既設管の周壁を穿孔し、前記穿孔装置による穿孔完了後、前記穿孔装置を取り外して前記仕切弁に前記分岐管を接続する第３の工程とを備え、
前記分岐ケースと前記仕切弁とを接続するに際して、前記分岐ケースの仕切弁側端部の内周面に設けられた先細りの周壁面を有する突起を、前記仕切弁の既設管側端部の外周面に形成された凹部に嵌め込み、前記突起と前記凹部との間に軟質シート材を介在させて、前記突起の周壁面を前記凹部の壁面に面接触させることを特徴とする分岐管接続工法。
【請求項７】
既設管に水密に装着可能な分割体により構成された分岐ケースと、分岐管に接続可能な仕切弁とを備えた分岐管接続装置を用いて、前記分岐管を前記既設管に接続する分岐管接続工法において、
前記分岐ケースを前記既設管に外嵌して装着するとともに、その分岐ケースの仕切弁側端部に前記仕切弁の既設管側端部が内挿された状態にする第１の工程と、
前記分岐ケースの分割面を略水平方向に位置させた状態で、前記分割体のフランジ部同士を締結具によって締結し、前記分岐ケースと前記仕切弁とを強固に接続する第２の工程と、
前記仕切弁に穿孔装置を接続して前記既設管の周壁を穿孔し、前記穿孔装置による穿孔完了後、前記穿孔装置を取り外して前記仕切弁に前記分岐管を接続する第３の工程とを備え、
前記分岐ケースと前記仕切弁とを接続するに際して、前記分岐ケースの仕切弁側端部の内周面に設けられた先細りの周壁面を有する突起を、前記仕切弁の既設管側端部の外周面に形成された凹部に嵌め込み、前記突起の周壁面を前記凹部の壁面に面接触させ、
前記分岐ケースの仕切弁側端面に延出形成された延出部の内周面に前記突起が設けられており、前記延出部には根本を薄肉化する切り欠きが形成されていることを特徴とする分岐管接続工法。
【請求項８】
前記第２の工程では、前記締結具を締め付けることで、前記突起の周壁面を前記凹部の壁面に密着させてゆくとともに、前記分岐ケースの仕切弁側端部の内周面にシール材を内嵌するため形成された凹溝の内側突条壁を、前記仕切弁の既設管側端面に形成された張出部と接当させて、前記分岐ケースから前記仕切弁が遠ざかるのを停止できるようにする請求項６又は７記載の分岐管接続工法。
【発明の詳細な説明】
【技術分野】
【０００１】
本発明は、既設管に分岐管を接続可能にする分岐管接続装置と、その分岐管接続装置を用いた分岐管接続工法とに関する。
【背景技術】
【０００２】
近年、水道管などの既設の流体用配管の途中に分岐管を設ける分岐管接続工事では、管路を上流側で止水することなく不断水の状態を維持したまま、既設管の周壁を穿孔し、分岐管を接続する工法が採用されている。かかる工法では、下記特許文献１に開示されるように、既設管に水密に装着可能な分割体からなる分岐ケースと、片側の端部が分岐ケースに接続され、他側の端部が分岐管に接続可能な仕切弁とを備えた分岐管接続装置が用いられる。
【０００３】
図１２，１３は、従来の分岐管接続装置の一例を説明する正面図である。この装置は、左右２つ割の分岐ケース５１と、分岐ケース５１にフランジ接続される仕切弁５２とを備えている。施工の際には、まず、図１２に示すように、分岐ケース５１を既設管Ｋに外嵌して分割面をフランジ接続し、水密な状態で装着する。そして、分岐ケース５１のフランジ部５１ａと仕切弁５２のフランジ部５２ａとをボルト・ナットで締結し、分岐ケース５１と仕切弁５２とを接続する。
【０００４】
次に、仕切弁５２のフランジ部５２ｂと穿孔装置５３のフランジ部５３ａとをボルト・ナットで締結し、仕切弁５２に穿孔装置５３を接続する。図示はしないが、穿孔装置５３の内部には、駆動部により回転可能に構成された回転軸と、回転軸の先端に設けられた円筒形のホールソーと、ホールソーの中心位置から前方に突出したドリルとが内蔵されている。ホールソーは、ドリルと共に、穿孔装置５３の後方に設けられた送りハンドル５４によって進退自在に構成されている。
【０００５】
仕切弁５２に穿孔装置５３を接続した後、仕切弁５２の弁体を上方に退避させて仕切弁５２の内部を連通状態に開放する。続いて、ホールソーを回転させながら送りハンドル５４を回して既設管Ｋ側に繰り出し、既設管Ｋの周壁を穿孔する。穿孔が完了したら、ホールソーの回転を停止し、送りハンドル５４を逆回転させてホールソーを後退させる。切り取られた既設管の周壁の一部は、ドリルにより引っ掛けられて回収される。
【０００６】
ホールソーを十分に後退させた後、上方に退避させていた仕切弁５２の弁体を下降して内部を閉鎖する。そして、図１３に示すように、穿孔装置５３を取り外し、代わりに分岐管５５を接続する。この例では、仕切弁５２のフランジ部５２ｂと接続管５６のフランジ部５６ａとをボルト・ナットで締結し、この接続管５６が備える受口に分岐管５５の先端を挿入することで、仕切弁５２と分岐管５５とを接続している。このような分岐管接続工法によれば、断水せずとも分岐管が設けられることから、利用者に対する利便性が高い。
【０００７】
しかし、上記のような従来技術では、フランジ接続された分岐ケースの分割面や各部材のフランジ部といった接続箇所が、分岐管の軸芯方向に対して直角方向に位置してあるため、地盤変動や経年変化などにより分岐管又は既設管に大負荷が作用した場合には、ボルトが伸長するなどして接続箇所が開き易く、配管内部の流体が漏出してしまうという問題がある。通常、配管は土中に埋設されており、流体が漏出したとしても発見が難しく、対策が遅れがちとなるため、流体の流出に伴う損失は少なくない。
【０００８】
この問題に対して、接続箇所の全体をコンクリートで被覆して固める方法が採られることがある。しかし、コンクリートにひび割れが生じたり、流体がコンクリートから漏出したりするなど、対策としては必ずしも十分ではない。そればかりか、接続箇所の点検や保守作業が難しくなるという問題が生じる。
【０００９】
そこで、本出願人による下記特許文献２記載の分岐管接続装置では、締結具によりフランジ接続される分岐ケースの分割面を略水平方向に位置させ、その締結具の締結によって分岐ケースと仕切弁との接続がなされるようにしている。同文献には、図１４に示すように、分岐ケース６１の仕切弁側端部に形成した凹部６５に、仕切弁６２の既設管側端部近傍の外周面に設けた突起６６を嵌め込み、拡径状に傾斜して外側に開いた凹部６５の傾斜面６５ａを突起６６の傾斜面６６ａに面接触させ、締結具の締め付けにより傾斜面６５ａが傾斜面６６ａを押圧して、分岐ケース６１から仕切弁６２を遠ざけるようにして固定することが開示されている。
【００１０】
ところが、かかる装置では、締結具を締め付けても分岐ケースの分割面が確実に閉じない場合があり、分岐ケースと仕切弁との間でガタツキを生じたり、それらの間に介在するシール材の面圧が十分に得られなかったりするため、接続作業の修正が必要となり施工性が十分とは言えなかった。本発明者らは、この問題について鋭意研究を重ね、かかる現象が見られる原因として下記ａ〜ｃを見出し、これを改善することで施工性を向上できる見込みがあることが分かった。
ａ：突起を凹部に嵌め込む時の位置決め精度がシビアであり、仕切弁の管周方向に沿って突起と凹部とが位置ずれしていると、凹部が突起に乗り上げて円滑に嵌め込まれない傾向にある。
ｂ：分岐ケースと仕切弁とが相対的に屈曲する（仕切弁が図１４の矢印方向Ｓに傾く）と、図１４のＰ部を支点にして突起の傾斜面が凹部の傾斜面を押し上げ、分岐ケースが拡径するように作用する。
ｃ：締結具の締め付けにより突起の傾斜面と凹部の傾斜面とを摺動させながら仕切弁を分岐ケースから遠ざけるため、突起と凹部との摩擦抵抗が大きく、分岐ケースの分割面を円滑に閉じることが難しい。
【特許文献１】特開２００２−１５４００４号公報
【特許文献２】特開２００７−３０９４７４号公報
【発明の開示】
【発明が解決しようとする課題】
【００１１】
本発明は上記実情に鑑みてなされたものであり、その目的は、締結具の締め付けにより分岐ケースの分割面を容易且つ確実に閉じて施工性を向上することができる分岐管接続装置及び分岐管接続工法を提供することにある。
【課題を解決するための手段】
【００１２】
上記目的は、下記の如き本発明により達成できる。即ち、本発明に係る分岐管接続装置は、既設管に水密に装着可能な分割体により構成された分岐ケースと、前記分岐ケースに接続されるとともに分岐管に接続可能な仕切弁とを備えて、前記分岐管を前記既設管に接続可能にする分岐管接続装置において、前記分岐ケースの仕切弁側端部の内周面に先細りの周壁面を有する突起が設けられており、前記仕切弁の既設管側端部の外周面に凹部が形成されていて、前記分岐ケースに前記仕切弁を接続するに際して、前記突起が前記凹部に嵌め込まれるとともに前記突起の周壁面と前記凹部の壁面とが互いに面接触するように構成され、前記分岐ケースの分割面では、前記分割体のフランジ部同士が締結具により締結されるとともに、前記分割面が略水平方向に位置し、前記締結具の締結により前記分岐ケースと前記仕切弁との接続がシール材を介してなされるものである。
【００１３】
本発明の分岐管接続装置によれば、上述したａ〜ｃを緩和又は解消して、締結具の締め付けにより分岐ケースの分割面を容易且つ確実に閉じて施工性を向上することができる。即ち、本発明では、分岐ケースに仕切弁を接続するに際して、分岐ケース側に設けた先細りの周壁面を有する突起が仕切弁側の凹部に嵌め込まれ、その突起の周壁面が凹部の壁面に面接触することから、多少の位置ずれが生じていても突起が凹部に乗り上げた状態になり難く、締結具の締結によって突起が凹部に円滑に嵌め込まれる。
【００１４】
また、本発明では、突起が先細りした周壁面を有することにより、分岐ケースと仕切弁とが相対的に屈曲し、突起の周壁面と凹部の壁面との間に捻回方向の力が作用しても、凹部が突起を押し上げる力が生じ難く、分岐ケースが拡径して分割面が開くことが抑えられる。しかも、分岐ケースに仕切弁を接続するに際し、突起の周壁面と凹部の壁面とを摺動させて分岐ケースから仕切弁を遠ざける必要がないため、突起と凹部との摩擦抵抗が過度に高くなることを避けて、分岐ケースの分割面をガイドしながら円滑に閉じることができる。
【００１５】
加えて、本発明の分岐管接続装置では、フランジ接続された分岐ケースの分割面が略水平方向に位置し、分岐ケースと仕切弁との接続が分割体のフランジ部同士を締結する締結具を締め付けることでなされる。そのため、地盤変動や経年変化などによる大負荷が作用したとしても、接続箇所が開く方向に位置しておらず、締結具に負荷が作用し難いため、配管内部の流体が接続箇所から漏出することを確実且つ効果的に防止できる。
【００１６】
上記において、前記突起が円錐状又は円錐台状に設けられているものが好ましい。かかる構成によれば、突起の先細りした周壁面がテーパー形成されることから、上述した本発明の作用効果をより適切に奏することができる。特に突起が円錐状をなす場合には、周壁面に角張った部分が形成されないため、凹部への乗り上げを効果的に抑制できる。
【００１７】
上記において、前記凹部が円錐状又は円錐台状に形成されているものが好ましい。かかる構成によれば、突起の周壁面と共に凹部の壁面もテーパー形成されることから、突起の周壁面と凹部の壁面とを互いに面接触させ易くなる。
【００１８】
上記において、前記分岐ケースの仕切弁側端部の内周面に前記シール材を内嵌させる凹溝が形成されており、前記突起を前記凹部に嵌め込んだ状態では、前記凹溝を構成する内側突条壁と前記仕切弁の既設管側端面に形成されている張出部とが、前記仕切弁の管軸方向に接当して前記分岐ケースから前記仕切弁が遠ざかるのを停止可能になっているものが好ましい。かかる構成によれば、突起と凹部とが面接触していることに加えて、内側突条壁と張出部とが軸方向に接当していることにより、分岐ケースと仕切弁との接続強度を効果的に高めることができる。
【００１９】
本発明に係る分岐管接続装置の一つの態様では、前記突起と前記凹部との間に軟質シート材を介在させてある。かかる構成によれば、突起と凹部との相対的なぶれを抑制して分岐ケースと仕切弁との接続を安定できるため、締結具の締め付けによって分岐ケースの分割面を容易且つ確実に閉じ易くなる。
【００２０】
本発明に係る分岐管接続装置の別の態様では、前記分岐ケースの仕切弁側端面に延出形成された延出部の内周面に前記突起が設けられており、前記延出部には根本を薄肉化する切り欠きが形成されている。かかる構成によれば、分岐ケースと仕切弁とが相対的に屈曲した場合に延出部が追従して変形し易くなることから、分岐ケースの拡径をより確実に防止して分割面が開くことを効果的に抑えることができる。
【００２１】
また、本発明に係る分岐管接続工法は、既設管に水密に装着可能な分割体により構成された分岐ケースと、分岐管に接続可能な仕切弁とを備えた分岐管接続装置を用いて、前記分岐管を前記既設管に接続する分岐管接続工法において、前記分岐ケースを前記既設管に外嵌して装着するとともに、その分岐ケースの仕切弁側端部に前記仕切弁の既設管側端部が内挿された状態にする第１の工程と、前記分岐ケースの分割面を略水平方向に位置させた状態で、前記分割体のフランジ部同士を締結具によって締結し、前記分岐ケースと前記仕切弁とを強固に接続する第２の工程と、前記仕切弁に穿孔装置を接続して前記既設管の周壁を穿孔し、前記穿孔装置による穿孔完了後、前記穿孔装置を取り外して前記仕切弁に前記分岐管を接続する第３の工程とを備え、前記分岐ケースと前記仕切弁とを接続するに際して、前記分岐ケースの仕切弁側端部の内周面に設けられた先細りの周壁面を有する突起を、前記仕切弁の既設管側端部の外周面に形成された凹部に嵌め込み、前記突起の周壁面を前記凹部の壁面に面接触させるものである。
【００２２】
本発明の分岐管接続工法によれば、上述したａ〜ｃを緩和又は解消して、締結具の締め付けにより分岐ケースの分割面を容易且つ確実に閉じて施工性を向上することができる。即ち、本発明では、分岐ケースと仕切弁とを接続するに際して、分岐ケース側に設けた先細りの周壁面を有する突起を仕切弁側の凹部に嵌め込み、その突起の周壁面を凹部の壁面に面接触させることから、多少の位置ずれが生じていても突起が凹部に乗り上げた状態になり難く、締結具の締結によって突起が凹部に円滑に嵌め込まれる。
【００２３】
また、本発明では、突起が先細りした周壁面を有することにより、分岐ケースと仕切弁とが相対的に屈曲し、突起の周壁面と凹部の壁面との間に捻回方向の力が作用しても、凹部が突起を押し上げる力が生じ難く、分岐ケースが拡径して分割面が開くことが抑えられる。しかも、分岐ケースに仕切弁を接続するに際し、突起の周壁面と凹部の壁面とを摺動させて分岐ケースから仕切弁を遠ざける必要がないため、突起と凹部との摩擦抵抗が過度に高くなることを避けて、分岐ケースの分割面を円滑に閉じることができる。
【００２４】
上記において、前記第２の工程では、前記締結具を締め付けることで、前記突起の周壁面を前記凹部の壁面に密着させてゆくとともに、前記分岐ケースの仕切弁側端部の内周面にシール材を内嵌するため形成された凹溝の内側突条壁を、前記仕切弁の既設管側端面に形成された張出部と接当させて、前記分岐ケースから前記仕切弁が遠ざかるのを停止できるようにすることが好ましい。かかる方法によれば、突起と凹部とが面接触していることに加えて、内側突条壁と張出部とが軸方向に接当していることにより、分岐ケースと仕切弁との接続強度を効果的に高めることができる。
【発明を実施するための最良の形態】
【００２５】
以下、本発明に係る分岐管接続装置及び分岐管接続工法の実施形態について、既設の水道管に分岐管を接続する場合を例に挙げ、図面を参照しながら説明する。本発明は、後述するような軟質シート材（図９，１０）または延出部の切り欠き（図１０）を利用するものであるが、図１〜８において、その前提となる実施形態を予め説明する。図１は、分岐管接続装置が備える分岐ケースと仕切弁の一例を示す正面図である。図２は、その分岐ケースと仕切弁の平面図である。図３は、図１に示した分岐ケースを右側から見た図であり、図４は、図１に示した仕切弁のＡ−Ａ矢視断面図である。なお、図１に示した分岐ケースは、図２のＢ−Ｂ矢視断面に相当する。
【００２６】
分岐ケース１は、既設管Ｋ（図５参照）に水密に装着可能な分割体１Ａ，１Ｂにより構成され、図１にて上下２つ割となる割Ｔ字管形状をしている。分岐ケース１の仕切弁側端部（図１右側に向けた端部）の内周面には、先細りの周壁面を有する突起１０が設けられている。分岐ケース１の仕切弁側端面には、部分的に張り出した延出部１ａが延出形成されており、その延出部１ａの内周面に突起１０が設けられている。突起１０は、内側に向かって突出した円錐状をなし、分割体１Ａ，１Ｂの各々に設けられている。
【００２７】
分岐ケース１の分割面では、分割体１Ａ，１Ｂのフランジ部同士がボルトとナットからなる締結具３により締結され、この締結具３を締め付けることで分割体１Ａと分割体１Ｂとの間隔が狭まり、最終的に分割面が水密に閉じられるように構成されている。シール材４，５は、分岐ケース１の分割面に介在するように分割体１Ａ，１Ｂの各々に装着され、分岐ケース１と仕切弁２とを接続した状態では、仕切弁２の既設管側端部（図１左側に向けた端部）の外周面にシール材５が外嵌される。
【００２８】
仕切弁２は、既設管側端面に管周方向に延びた張出部２ａが形成されており、その既設管側端部は分岐ケース１に接続される。また、その反対側の端部が拡径した受口部２ｂとなっていて、両端部間が連通可能な通路を形成している。仕切弁２の頂部２ｃには治具（図示略）が取り付け可能であり、治具を回転させて内蔵している弁体（図示略）を昇降させることにより通路を自在に遮断できる。
【００２９】
仕切弁２の既設管側端部近傍の外周面には、円錐状の凹部２０が形成されている。本実施形態では、４つの凹部２０が図４の上下左右にて周方向に等間隔で配置されている。凹部２０の深さや壁面の勾配は突起１０に対応しており、分岐ケース１と仕切弁２とを強固に接続した段階では、突起１０が凹部２０に嵌め込まれて、突起１０の周壁面と凹部２０の壁面とが互いに面接触するように構成されている。
【００３０】
以下、分岐管接続工法によって、既設管に分岐管を接続する方法を説明する。まず、図５，６に示すように、既設管Ｋを抱持するように分岐ケース１を外嵌して装着するとともに、この分岐ケース１の仕切弁側端部に仕切弁２の既設管側端部を挿入する（前記第１の工程に相当する。）。かかる段階では、締結具３が強固に締結されておらず、分岐ケース１の分割面が開いている状態でよい。
【００３１】
本発明では、分割体１Ａ，１Ｂ及び仕切弁２の設置順序は特に限られず、上記とは逆に、既設管Ｋの傍らに仕切弁２を配置した後、分割体１Ａ，１Ｂを組み付けて分岐ケース１の仕切弁側端部を仕切弁２の既設管側端部に外嵌めしてもよい。或いは、既設管Ｋの下方に分割体１Ｂを設置した後、その仕切弁側端部に仕切弁２の既設管側端部を載せるようにして設置し、次いで分割体１Ａを分割体１Ｂに組み付けることも可能である。
【００３２】
仕切弁２の既設管側端部は、分岐ケース１の仕切弁側端部に対して、図５の如く突起１０が凹部２０の外周側に配置されるところまで挿入される。図４の左右に形成された一対の凹部２０は、図６の如く上方からでも視認可能に露出するため、分岐ケース１に対する仕切弁２の挿入目安として利用できる。また、この段階では、突起１０が凹部２０に嵌まり込んでいないため、必要に応じて仕切弁２を管軸周りに回転させて、分岐ケース１と仕切弁２との相対的な姿勢を微調整できる。
【００３３】
次に、分岐ケース１の分割面を略水平方向に位置させた状態で、分割体１Ａ，１Ｂのフランジ部同士を締結具３によって締結し、図７に示すように分岐ケース１と仕切弁２とを強固に接続する（前記第２の工程に相当する。）このとき、突起１０が凹部２０に嵌め込まれ、突起１０の周壁面１０ａが凹部２０の壁面２０ａに面接触して分岐ケース１と仕切弁２との相対回転が防止された状態となる。また、締結具３を締め付けることで、分岐ケース１と仕切弁２との接続がシール材５を介してなされると共に、分岐ケース１が既設管Ｋに対して水密に装着される。このように、当該分岐管接続装置は分岐ケース１と仕切弁２がフランジ接続されるものではない。
【００３４】
分岐ケース１と仕切弁２とを接続する際には、分岐ケース１側に設けた突起１０が仕切弁２側の凹部２０に嵌め込まれ、先細りした突起１０の周壁面１０ａが凹部２０の壁面２０ａに面接触することから、多少の位置ずれが生じていても突起１０が凹部２０に乗り上げた状態になり難く、締結具３の締結によって円滑に嵌め込まれる。また、分岐ケース１に設けられているのが凹部ではなく突起１０であることから、施工時に下方から覗き込まなくても容易く視認でき、それ故に突起１０と凹部２０との位置ずれを抑制できる。
【００３５】
更に、かかる構成によれば、分岐ケース１と仕切弁２とが相対的に屈曲し、周壁面１０ａと壁面２０ａとの間に捻回方向の力が作用しても、凹部２０が突起１０を押し上げる力が生じ難く、分岐ケース１が拡径して分割面が開くことが抑えられる。しかも、本実施形態は、周壁面１０ａと壁面２０ａとを摺動させながら仕切弁２を分岐ケース１から遠ざけるものではないため、突起１０と凹部２０との摩擦抵抗が過度に高くなることがなく、分岐ケース１の分割面を円滑に閉じることができる。
【００３６】
図７に示すように、分岐ケース１と仕切弁２とを強固に接続した状態では、分岐ケース１の分割面が略水平方向に位置し、仕切弁２に接続される分岐管の軸芯方向と略平行となる。このため、分岐ケース１と仕切弁２とがフランジ接続されないことと相俟って、既設管Ｋに分岐管を接続した後、それらの接続箇所に大負荷が急激に或いは徐々に作用したとしても、接続箇所が開く方向に位置しておらず、締結具３に負荷が作用し難いことから、配管内部の流体が接続箇所から漏出することを確実且つ効果的に防止できる。
【００３７】
突起１０の個数は特に限られるものではないが、分岐ケース１の分割面が略水平方向に位置し、分割体１Ａ，１Ｂのフランジ部同士が上下方向に締結されることから、本実施形態のように分岐ケース１の仕切弁側端部の上下の各々に突起１０を設けて、それらを凹部２０に嵌め込むことが、分岐ケース１と仕切弁２との接続強度を確保するうえで好ましい。また、前述の実施形態では周方向の４箇所に凹部２０を形成した例を示したが、仕切弁２の傾き等を考慮して、凹部２０の個数は６個でも８個でもよく、個数はこれに制限されない。
【００３８】
分岐ケース１の仕切弁側端部の内周面にはシール材５を内嵌する凹溝９が形成されており、締結具３を締め付けて突起１０を凹部２０に嵌め込んだ状態では、凹溝９を構成する内側突条壁１ｂと仕切弁２の張出部２ａとが、図７に示すように仕切弁２の管軸方向に接当して分岐ケース１から仕切弁２が遠ざかるのを停止可能になっている。これにより、突起１０と凹部２０とが面接触していることに加えて、内側突条壁１ｂと張出部２ａとが軸方向に接当していることにより、分岐ケース１と仕切弁２との接続強度を効果的に高めることができる。
【００３９】
分岐ケース１と仕切弁２とを強固に接続した後は、図８に示すように、仕切弁２の受口部２ｂに穿孔装置１２を接続し、仕切弁２の弁体を上方に退避させて仕切弁２の内部を連通状態に開放した後、穿孔装置１２により既設管Ｋの所定箇所の周壁を穿孔する。そして、穿孔完了後、穿孔装置１２に内蔵されているホールソー１３の回転を停止して穿孔装置１２を取り外し、代わりに受口部２ｂに分岐管の先端を挿入して接続を終了して、分岐管を利用できる状態とする（前記第３の工程に相当する。）。
【００４０】
〔別実施の形態〕
（１）前述の実施形態では円錐状の突起と凹部を採用した例を示したが、本発明では、突起が先細りの周壁面を有し且つその周壁面が凹部の壁面に面接触するものであれば、これに限られない。突起の他の形状としては円錐台状やドーム状（半球状）が例示されるが、凹部への乗り上げを抑制しつつ円滑な嵌め込みを発現するうえで円錐状が好ましい。また、凹部の他の形状としては円錐台状やドーム状、仕切弁の管周方向に延びるＶ溝状をなすものが挙げられる。
【００４１】
（２）前述の実施形態では、管内部の流体として水道水を例に挙げたが、本発明はこれに限定されるものではなく、各種の液体、気体などの流体に適用できる。
【００４２】
（３）図９に示す別実施形態では、突起１０と凹部２０との間に軟質シート材６を介在させてある。この場合、突起１０と凹部２０との相対的なぶれを抑制して、分岐ケース１と仕切弁２との接続を安定できるため、締結具３の締め付けによって分岐ケース１の分割面を容易且つ確実に閉じ易くなる。軟質シート材６は、分岐ケース１や仕切弁２の弁箱の構成材料よりも軟質であればよく、例えばゴムシートにより構成される。また、軟質シート材６は、シール材として用いることもでき、図１０に示すように凹溝９に内嵌されたシール材５と一体的に形成することも可能である。
【００４３】
（４）図１０に示す別実施形態では、分岐ケース１の延出部１ａに根本を薄肉化する切り欠き７が形成されている。かかる構成によれば、分岐ケース１と仕切弁２とが相対的に屈曲した場合に延出部１ａが追従して変形し、凹部２０の壁面が突起１０の周壁面を押し上げる作用が奏されない。その結果、分岐ケース１の拡径をより確実に防止して、分割面が開くことを効果的に抑えることができる。
【００４４】
（５）前述の実施形態では、分岐ケース１の仕切弁側端面に延出形成された延出部１ａの内周面に突起１０が設けられた例を示したが、本発明では、図１１に例示するように突起１０が設けられる箇所は延出形成されていなくても構わない。
【００４５】
（６）本発明では、仕切弁を傾倒させた状態、即ち頂部が上向きとならないように仕切弁を軸芯回りに傾け倒した状態で分岐ケースに接続することも可能である。例えば、前述の実施形態において、図４の左右に形成された一対の凹部に分岐ケース側の突起を嵌め込むようにすることで、仕切弁の頂部が略水平方向に向いた姿勢となる。これによって、仕切弁の頂部の高さ位置が下がり、既設管が浅層埋設されるものであっても、頂部から地面までの土被り量を適切に得ることができる。
【図面の簡単な説明】
【００４６】
【図１】分岐管接続装置が備える分岐ケースと仕切弁の一例を示す正面図
【図２】図１に示した分岐ケースと仕切弁の平面図
【図３】図１に示した分岐ケースを右側から見た図
【図４】図１に示した仕切弁のＡ−Ａ矢視断面図
【図５】既設管に装着した分岐ケースに仕切弁を緩く接続した状態を示す正面図
【図６】既設管に装着した分岐ケースに仕切弁を緩く接続した状態を示す平面図
【図７】分岐ケースに仕切弁を強固に接続した状態を示す正面図
【図８】仕切弁に穿孔装置を接続した状態を示す正面図
【図９】本発明の実施形態に係る分岐管接続装置の要部を示す断面図
【図１０】本発明の他の実施形態に係る分岐管接続装置の要部を示す断面図
【図１１】本発明には含まれない形態に係る分岐管接続装置の要部を示す断面図
【図１２】従来の分岐管接続装置の一例を説明する正面図
【図１３】従来の分岐管接続装置の一例を説明する正面図
【図１４】上記特許文献２記載の分岐管接続装置の一例における（ａ）要部斜視図、（ｂ）その要部を右方向から見た図、及び、（ｃ）その要部の縦断面図
【符号の説明】
【００４７】
１          分岐ケース
１Ａ，１Ｂ  分割体
１ａ        延出部
１ｂ        内側突条壁
２          仕切弁
２ａ        張出部
３          締結具
４、５      シール材
６          軟質シート材
９          凹溝
１０        突起
１０ａ      周壁面
１２        穿孔装置
２０        凹部
２０ａ      壁面
Ｋ          既設管
【図１】
0005160318.tif 000002
【図２】
0005160318.tif 000003
【図３】
0005160318.tif 000004
【図４】
0005160318.tif 000005
【図５】
0005160318.tif 000006
【図６】
0005160318.tif 000007
【図７】
0005160318.tif 000008
【図８】
0005160318.tif 000009
【図９】
0005160318.tif 000010
【図１０】
0005160318.tif 000011
【図１１】
0005160318.tif 000012
【図１２】
0005160318.tif 000013
【図１３】
0005160318.tif 000014
【図１４】
0005160318.tif 000015